(57)【要約】【課題】  従来の携帯用農作業機械は、減速機および耕運体の取付部品が複雑で軽量化にも乏しいものである。【解決手段】  主管の一端に原動機を装着し、主管の他端に原動機から主管内を通した伝動軸より回転受動する減速機を設け、該減速機から回転が減速され、且つ方向変換された出力軸を整備し、該出力軸に複数の耕運体が装着された軽量で単純化した携帯用農作業機械である。【選択図】  図１
2005151958.tif 000002
【特許請求の範囲】
【請求項１】
主管の一端に原動機を装着し、主管の他端に原動機から主管内を挿通した伝動軸より回転受動する減速機を設け、該減速機から回転が減速され、且つ方向変換された出力軸を装備し、該出力軸に複数の爪を有した耕運体が装着されたことを特徴とする携帯用農作業機械。
【請求項２】
減速機が主管より着脱自在の構造を有していることを特徴とする請求項１記載の携帯用農作業機械。
【請求項３】
減速機がウオームギヤーにより減速および出力方向変換される構成となっていることを特徴とする請求項１又は２記載の携帯用農作業機械。
【請求項４】
減速機がアルミ鋳物で構成され軽量であることを特徴とする請求項１〜３記載の携帯用農作業機械。
【請求項５】
ウオームギヤーの伝動軸側の一端がスプラインメス構造となっていることを特徴とする請求項１〜４記載の携帯用農作業機械。
【請求項６】
伝動軸のウオームギヤー側の一端がスプラインオス構造となっていることを特徴とする請求項１〜５記載の携帯用農作業機械。
【請求項７】
耕運体が複数の爪を有し、該爪の一端が交互に反方向に曲折されたバネ鋼薄板を使用し軽量となっていることを特徴とする請求項１〜６記載の携帯用農作業機械。
【発明の詳細な説明】
【技術分野】
【０００１】  本発明は傾斜のある畑、細狭の畑で作業する場合又は、野菜植付後に作業する場合の耕運、除草作業に適した携帯用農作業機械に関する。
【背景技術】
【０００２】  従来の畑作業に小型耕運機を使用していたが、重量的に重く構造が複雑且つ、搬送、組立、清掃等容易に使用しにくい問題がある（例えば特許文献１および２参照。）。【０００３】  以下図５、６より従来の小型耕運機について説明する。図５において主杵２の作業側には主杵内を通過した伝動軸の一端に傘歯車収納部が取付けられ減速された出力軸を有しており、該小型耕運機の耕運爪は複数の単体部品を耕運軸部に取付けられている、以上の様な構造、構成は重量が重いうえに清掃、修復、搬送手段に苦慮する問題がある。【０００４】  図６において１０は刈払機の刈刃のないギヤーケース付の主管で、該主管に２３、２４、２４ａ、２４ｂが２０のギヤーケースを取付、固定する部品であり該ギヤーケースにウオームギヤー、ウオームホイール、出力軸等があり耕運爪等を取付けられる構成である、以上の構成では部品点数が多く重量軽減もなされておらず清掃、修復が難しくさらに搬送にも多大な労力を使う等問題がある。
【特許文献１】特開平７−３１２０２号公報
【特許文献２】２００３−１８０１１７号公報
【発明の開示】
【発明が解決しようとする課題】
【０００５】  解決しようとする問題点は、以上に述べた従来の小型耕運機では取付部品が多く軽量化及び単純化に欠けているものであった。【０００６】  本発明はこのような従来の構成が有していた問題を解決しようとするものであり、軽量化及び単純化された携帯用農作業機械を実現することを目的とするものである。
【課題を解決するための手段】
【０００７】  本発明は、上記目的を達成するためになされたものであって、第１の発明は主管の一端に原動機を装着し、主管の他端に原動機から主管内を挿通した伝動軸より回転受動する減速機を設け、該減速機から回転が減速され且つ方向変換された出力軸を装備し、該出力軸に複数の爪を有した耕運体が装着された携帯用農作業機械である、第２の発明は減速機が主管より着脱自在の構造を有している携帯用農作業機械である、第３の発明は減速機がウオームギヤーにより減速及び出力方向変換される構成となっている携帯用農作業機械である、第４の発明は減速機がアルミ鋳物で構成され軽量である携帯用農作業機械である、第５の発明はウオームギヤーの伝動軸側の一端がスプラインメス構造となっている携帯用農作業機械である、第６の発明は伝動軸のウオームギヤー側の一端がスプラインオス構造となっている携帯用農作業機械である、第７の発明は耕運体が複数の爪を有し、該爪の一端が交互に反方向に曲折されたバネ鋼薄板を使用し軽量となっている携帯用農作業機械である。【０００８】  上記課題解決手段による作用は次の通りである。本発明の解決手段は作業者が一人で道具を使用せず搬送し、現場で耕運体に巻付いた雑草等も簡単に除去清掃し、また簡単に復元し再作業出来、容易に短時間で畑作業が進行出来る効果がある。また本発明の減速機の取付方法と市販の刈払機の刈刃取付ギヤーケース取付方法が、同形状のため交換が容易で重量も軽量なので、上記の畑作業が市販の刈払機でも容易に短時間で出来る効果がある。
【発明の効果】
【０００９】  本発明の携帯用農作業機械は、軽量で搬送に道具を必要としないうえに、市販の刈払機に容易に取付ることが出来、傾斜のある畑、細狭の畑において楽に短時間で作業が行える。
【発明を実施するための最良の形態】
【００１０】  以下本発明の実施の形態を図１〜図４に基づいて説明する。【００１１】  図１の携帯用農作業機械全体図において▲３▼は回転を発する原動機、▲２▼は主管、▲４▼は回転を伝達する伝動軸、▲５▼は回転受動及び減速回転、出力方向変換構造部品を装備する減速機、▲８▼は耕運体を装着する出力回転軸、▲９▼は耕運体、▲１６▼は土受けカバー、▲１４▼は肩掛ベルト、▲１５▼はグリップ【００１２】  図１において図１は携帯用農作業機械全体形状を表しており▲３▼は回転を発する原動機▲２▼は▲４▼伝道軸を挿通する主管、該伝動軸の▲５▼減速機側の一端はスプラインオス構造で回転を減速機に装着された図２の断面拡大図に表す▲６▼ウオームギヤーと該ウオームギヤーの一端がスプラインメス構造で▲５▼減速機に装着された▲７▼ウオームホイールを経て▲８▼の出力回転軸に▲９▼耕運体を装着した図であり、作業をする場合作業者は▲３▼原動機のエンジンを始動し、回転を発し▲１４▼肩掛ベルトを肩に掛け片方の手で▲１５▼グリップを握りもう片方の手で▲２▼主管に装備された回転レバーを握り▲９▼耕運体を耕運、除草場所にあてがうエンジンの回転は▲２▼主管に装備された回転レバーの握りの強弱によって、適正な回転が得られるので耕運及び除草作業に適した回転で作業を行うことが出来る。【００１３】  図２において図２は▲５▼減速機に装備された部品について詳細に説明する。図１及び図３に表された▲２▼主管及び▲４▼伝動軸のスパイラルオスが図２の▲６▼ウオームギヤーの一端のスプラインメスに篏着でき▲６▼ウオームギヤーに伝達された回転は▲７▼ウオームホイールによって減速及び方向変換され▲７▼ウオームホイールの中心に装備された▲８▼出力回転軸へ伝達され、この時▲６▼ウオームギヤー、▲７▼ウオームホイールの両端はベアリングで固定され回転のみ伝達され▲６▼ウオームギヤー、▲７▼ウオームホイール、ベアリングを収納、組立出来るアルミ鋳物で構成された▲５▼減速機で▲２▼主管と▲４▼伝動軸のスプラインオスが▲６▼ウオームギヤーの一端のスプラインメスに差込んで、篏着確認後図３に示す▲１２▼減速機固定ボルト及び▲１３▼減速機抜け止めボルトの２本で容易に組立出来る構造である。【００１４】図３において図３は▲５▼減速機と▲２▼主管、▲４▼伝動軸の組立方法を表しており前記で述べた▲５▼減速機に▲２▼主管及び▲４▼伝動軸の一端のスプラインオスと▲６▼ウオームギヤーの一端のスプラインルメスに差込んで、篏着確認後▲１２▼減速機固定ボルト及び▲１３▼減速機抜け止めボルトの２本で容易に組立てることが出来る、このことは一般で市販されている刈払機の刈刃取付ギヤケースと同じ構造であり、本発明の携帯用農作業機械の▲５▼減速機が一般の刈払機にも流用できる。【００１５】  図４において▲５▼は減速機▲８▼出力回転軸、この▲８▼出力回転軸に▲９▼耕運体の中心の筒状部分を差込み▲８▼出力回転軸端部の回り止め兼抜け止め穴に合わせ▲１０▼ピンを差込み更に▲１０▼ピンの一端にある穴に抜け止め用の▲１１▼割ピンを差込み▲９▼耕運体を装着する。このことは、作業中に雑草等の巻き込みの時耕運体を解体し掃除が出来、また、その場で��易に組立出来る、▲９▼耕運体は▲５▼減速機の両側に対称に位置する構造である。
【図面の簡単な説明】
【００１６】
【図１】本発明の実施形態を示す携帯用農作業機械の全体斜視図
【図２】同携帯用農作業機械の減速機の断面図
【図３】同携帯用農作業機械の減速機と主管および伝動軸の組立要領斜視図
【図４】同携帯用農作業機械の減速機と耕運体の組立要領斜視図
【図５】従来の携帯用農作業機械の公開特許公報  文献１
【図６】従来の携帯用農作業機械の公開特許公報  文献２
【符号の説明】
【００１７】  １    携帯用農作業機械
２    主管
３    原動機
４    伝動軸
５    減速機
６    ウオームギヤー
７    ウオームホイール
８    出力回転軸
９    耕運体
１０  ピン
１１  割ピン
１２  減速機  固定ボルト
１３  減速機  抜止めボルト
１４  肩掛けベルト
１５  グリップ
１６  土受けカバー
【図１】
2005151958.tif 000003
【図２】
2005151958.tif 000004
【図３】
2005151958.tif 000005
【図４】
2005151958.tif 000006
【図５】
2005151958.tif 000007
【図６】
2005151958.tif 000008